(57)【要約】      （修正有）【課題】マストクライミングにおけるマストの吊り込み時に、吊上げたマストを旋回フレーム上に受け止め、作業員の安全を確保する吊り込み安全装置を提供する。【解決手段】既設のマストの最頂部に、マストを吊上げて継ぎ足す作業を繰返すマストクライミングにおいて、吊上げたマストを既設のマスト最頂部に安全に吊り込むための装置であって、吊上げたマスト１３を受け止めるマスト受け止め部２２を、既設のマスト最頂部１１に配置されている旋回フレーム１２の前側に設け、上記マスト受け止め部として、マストの左右方向への揺れを止めるために、旋回フレームに設けた左右のガイド部と、マストの後方への移動を受け止めるために、左右のガイド部間に張り渡した安全ロープとを有して構成する。【選択図】図１
0003169188.tif 000002
【実用新案登録請求の範囲】
【請求項１】
既設のマストの最頂部に、マストを吊上げて継ぎ足す作業を繰返すマストクライミングにおいて、吊上げたマストを既設のマスト最頂部に安全に吊り込むための装置であって、
吊上げたマストを受け止めるマスト受け止め部を、既設のマスト最頂部に配置されている旋回フレームの前側に設け、上記マスト受け止め部として、マストの左右方向への揺れを止めるために、旋回フレームに設けた左右のガイド部と、マストの後方への移動を受け止めるために、左右のガイド部間に張り渡した安全ロープとを有して構成された
クライミングクレーンにおけるマストの吊り込み安全装置。
【請求項２】
旋回フレームはその前部から後部へ傾斜して立ち上がる左右一対のロッドを有し、その前側の部分を左右のガイド部とし、上記一対のロッドの後側の中間部には夫々ロープ受けを取り付け、安全ロープは、ワイヤーロープの両端に夫々継手を設けたものから成り、上記ロープ受けと継手とを連環によって、着脱可能に接続した構成を有する
請求項１記載のクライミングクレーンにおけるマストの吊り込み安全装置。
【考案の詳細な説明】
【技術分野】
【０００１】
本考案は、既設のマストの最頂部に、マストを吊上げて継ぎ足す作業が繰返されるマストクライミングにおいて、吊上げたマストを既設のマスト最頂部に安全に吊り込むための装置に関するものである。
【背景技術】
【０００２】
クライミングクレーンというタイプのクレーンには、地上にマスト本体を設置し、最頂部にマストを継ぎ足して行くマストクライミング方式のクレーンがある。この方式を、図８を参照して説明すると、吊上げているマストａの案内用のロープｃを吊環ｄに通しておき、旋回フレームｂに接近させ（１）、そのままマストａを吊上げてジブｅにぶつけないように、旋回フレームｂに上から吊下げるとともに、定位置でワイヤーｆを緩め（２）、マストａを最頂部のマストｇに接続して旋回フレームを上昇させて、ワイヤーｆを繰り出し（３）、次のマストを吊上げに行くようにして作業が進行する（４）。上記作業では、継ぎ足すマストを吊上げ、最頂部のマストの位置に吊り込むため、吊上げているマストを誘導する作業が安全上重要である。
【０００３】
しかし、吊上げられているマストは、或る程度補助的に案内されるが、これを揺らせることなく誘導することは作業員の技量によるところが非常に大きい。マストを吊上げているワイヤーの揺れを確実に押さえる方法はなく、強風下では特に困難が伴うから、常に緊張を伴う作業が強いられ、特に、旋回フレーム上に作業員がいる場合には、吊上げているマストが作業員に当たる危険があり、現実に死亡事故が発生した例もあるからである。これに対して、事故を防止する対策は未だに講じられていないのが実情である。
【考案の開示】
【考案が解決しようとする課題】
【０００４】
本考案は前記の点に着目してなされたもので、その課題は、マストクライミングにおけるマストの吊り込み時に、吊上げたマストを旋回フレーム上に受け止め、作業員の安全を確保することである。本考案の他の課題は、同種のクレーン類に対しても、また、後から装着しても、所期の目的を達成するクライミングクレーンにおけるマストの吊り込み安全装置を提供することである。
【課題を解決するための手段】
【０００５】
前記の課題を解決するため、本考案は、マストを吊上げ、既設のマストの最頂部に継ぎ足す作業を繰返すマストクライミングにおいて、吊上げたマストを既設のマスト最頂部に安全に吊り込むための装置について、吊上げたマストを受け止めるために、マスト受け止め部を、既設のマスト最頂部に配置されている旋回フレームの前側に設け、上記マスト受け止め部として、マストの左右方向への揺れを止める左右のガイド部と、左右のガイド部間に張り渡した安全ロープとを有して構成するという手段を講じたものである。
【０００６】
本考案のクライミングクレーンにおけるマストの吊り込み安全装置は、マストクライミング方式のクライミングクレーンに関するものである。従って、地上に設置したベース上のマスト本体の最頂部にマストを継ぎ足して行く（前述の図８参照）。マスト本体の最頂部には旋回フレームがあり、ここに、ジブ、サポート、メインウインチ、その他の揚重機器及び機構が設置されている。
【０００７】
本考案の装置では、吊上げたマストを受け止めるマスト受け止め部を、既設のマスト最頂部に配置されている上記の旋回フレームの前側に設けている。旋回フレームは、勿論、既設のマストに沿って上昇、下降及び停止が可能であり、かつ、そのために必要な機構を備えていることは言うまでもない。旋回フレームの前側にマスト受け止め部を設けているため、旋回フレームの後側に作業員用のスペースが確保され、安全性が保証される。
【０００８】
上記マスト受け止め部として、マストの左右方向への揺れを止める左右のガイド部と、左右のガイド部間に張り渡した安全ロープとを有して構成する。つまり、本考案の装置では、吊り下げられているマストが旋回フレーム上の定位置に誘導されて受け止められるように構成されている。また、安全ロープの個数は少なくとも１個必要であるが、複数個設けて良いことは当然である。
【０００９】
本考案の装置における一つの望ましい構成は、旋回フレームがその前部から後部へ傾斜して立ち上がる左右一対のロッドを有しており、その前側の部分を左右のガイド部とし、上記一対のロッドの後側の中間部には夫々ロープ受けを取り付け、安全ロープは、ワイヤーロープの両端に夫々継手を設けたものから成り、上記ロープ受けと継手とを連環によって、着脱可能に接続した構成である。この構成によって、吊上げているマストを、既設のマスト最頂部により確実に吊り込むことが可能になる。
【考案の効果】
【００１０】
本考案は以上のように構成されかつ作用するものであるから、マストクライミングにおけるマストの吊り込み時に、吊上げたマストを旋回フレーム上に確実に受け止められ、作業員の安全を確保することができるという効果を奏する。また、本考案によれば、同種のクレーン類に対しても、後から装着して所期の目的を達成するクライミングクレーンにおけるマストの吊り込み安全装置を提供することができる。
【考案を実施するための最良の形態】
【００１１】
以下図示の実施形態を参照して、本考案をより詳細に説明する。図１は本考案に係るクライミングクレーン１０におけるマストの吊り込み安全装置の一例を示すものである。図中１１は当該クライミングクレーンの既設のマスト最頂部（マスト天）、１２は旋回フレームであり、既設のマスト最頂部１１に配置されている。上記のマスト最頂部１１は、旋回フレーム１２の前部に位置しており、クライミングのために吊り下げられたマスト１３は、この旋回フレーム１２の前部に吊り込まれる。
【００１２】
旋回フレーム上にはコンプレッションロッドなどとも通称され、旋回フレーム１２の前部から後部へ傾斜して立ち上がる、左右一対のロッド１４、１５が左右のガイド部として設置されている。当該ロッド１４、１５は、その後部のサポートロッド１６、１７とともに、強固な構造枠体を旋回フレーム上に提供している。１８は旋回フレーム上に設置されたジブ、１９はメインウインチであり、吊上げワイヤー２０の吊りフック２０ａにより、マスト１３を吊上げて吊り込みを行う。旋回フレーム１２は安全柵２１によって囲まれており、その内部中央付近が作業員Ｐの安全な作業スペースになっている。
【００１３】
本考案の安全装置は、吊上げたマスト１３を受け止めるマスト受け止め部２２を、既設のマスト最頂部１１に配置されている旋回フレーム１２の前側に設けて構成される。上記マスト受け止め部２２は、マスト１３の左右方向への揺れを止めるために、旋回フレーム１２に設けた左右のガイド部２３、２４と、マストの後方への移動を受け止めるために、左右のガイド部間に張り渡した安全ロープ２５とを有して構成される。図示の実施形態では、旋回フレーム１２の前部から後部へ傾斜して立ち上がる左右一対のロッド１４、１５を左右のガイド部２３、２４に利用している（図２Ｂ参照）。ガイド部２３、２４には安全柵２１も利用可能であるが、より強度が高く後方へ傾斜しているロッド１４、１５の方に信頼性の面から分がある。
【００１４】
図示の実施形態では、旋回フレーム１２の前部から後部へ傾斜して立ち上がる左右一対のロッド１４、１５の前側の部分を左右のガイド部２３、２４に利用し、上記一対のロッド１４、１５の後側の中間部には夫々ロープ受け２６を取り付けている（図３参照）。ロープ受け２６は、耳金状の孔空き部材を一対のロッド１４、１５の背面にやや内向きに、溶接して取り付けたもので、孔２６ａを有している。ロープ受け２６をやや内向きに設けたことで、引張力の作用時に働く曲げ応力に対応し易く、変形の防止にもなる。
【００１５】
旋回フレーム１２の前部から後部へ傾斜して立ち上がる左右一対のロッド１４、１５には、図３に示した丸パイプから成るものであるが、その他にも図４に示した角パイプから成るものも使用可能である。角パイプから成るロッド１４′、１５′の場合、引張力の作用時に働く曲げ応力により対応し易いように、ロープ受け２６′を角パイプの外側に溶接して取り付けられる。
【００１６】
安全ロープ２５は、ワイヤーロープ２７の両端に夫々継手２８を設けたものから成る。図示の例では、ワイヤーロープ２７の両端にシンブルとロック加工により環状の継手２８を形成している（図５参照）。よって、前記ロープ受け２６、２６′と継手２８とは、シャックルを用いた連環２９によって、着脱可能に接続される（図６参照）。
【００１７】
このような構成を有する本考案の安全装置を具備したクライミングクレーン１０では、継ぎ足すべきマスト１３を、案内用のロープ１３ａを操作しながら旋回フレーム上へ吊上げるように誘導する（図７）。その際、マスト１３は吊上げられて旋回フレーム１２に接近すると、左右一対の傾斜したロッド１４、１５の間の進入口３０から旋回フレーム上に進入するようになり、そのまま後部へ移動させると、マスト受け止め部２２の、安全ロープ２５に当接して受け止められる（図１の状態である）。この位置は、既設のマスト最頂部１１の位置に一致しており、従って、マスト１３を降下させ、最頂部のマスト１１に接続することができる。
【００１８】
マスト１３の吊り込み作業中、作業員Ｐはマスト受け止め部２２の後側におり、吊り込まれるマスト１３とは安全ロープ２５で隔てられているので、移動するマスト１３は安全ロープ２５に受け止められ、その際マスト１３が或る程度の勢いで安全ロープ２５にぶつかったとしても、作業員Ｐに衝撃が及ぶことはなく、安全である。このように、本考案の装置では、吊り上げ中のマスト１３に多少の荷揺れがあっても、旋回フレーム１２に設けた左右のガイド部２３、２４と、左右のガイド部間に張り渡した安全ロープ２５とにマスト１３が受け止められる結果、マスト１３を目的の位置に正確かつ、安全に配置することが可能になる。
【図面の簡単な説明】
【００１９】
【図１】本考案に係るクライミングクレーンにおけるマストの吊り込み安全装置の一例を示す側面説明図である。
【図２】同上における旋回フレームを示すもので、Ａは側面図、Ｂは正面図である。
【図３】同上における左右ガイド部のロッドを示すもので、Ａは側面図、Ｂは横断面図である。
【図４】同じくロッドの他の例を示すもので、Ａは側面図、Ｂは横断面図である。
【図５】同じく本考案における安全ロープを示す平面図である。
【図６】同じく安全ロープを左右のロッドに接続した本考案の装置を示す正面説明図である。
【図７】本考案に係るクライミングクレーンにおけるマストの吊り込み作業を示す側面説明図である。
【図８】同じくクライミングクレーンにおけるマストの吊り込みクライミング状態の工程（１）ないし（４）を示す説明図である。
【符号の説明】
【００２０】
１０  クライミングクレーン
１１  マスト最頂部
１２  旋回フレーム
１３  マスト
１４、１４′、１５、１５′  左右のガイド部としての左右一対のロッド
１６、１７  サポートロッド
１８  ジブ
１９  メインウインチ
２０  吊上げワイヤー
２１  安全柵
２２  マスト受け止め部
２３、２４  左右のガイド部
２５  安全ロープ
２６、２６′  ロープ受け
２７  ワイヤーロープ
２８  継手
２９  連環
３０  進入口
【図１】
0003169188.tif 000003
【図２】
0003169188.tif 000004
【図３】
0003169188.tif 000005
【図４】
0003169188.tif 000006
【図５】
0003169188.tif 000007
【図６】
0003169188.tif 000008
【図７】
0003169188.tif 000009
【図８】
0003169188.tif 000010